(57)【要約】【課題】耐力壁のコンクリート打設工程にとらわれることなく、上階の構築作業を進めることができ、工期短縮を図ることができる建築構造物の構築方法を提供する。【解決手段】ＲＣ耐力壁１８が構築される領域の頂部に梁２２を架け渡し、当該梁２２に支持されるようにハーフプレキャスト床版１６を敷設する床版敷設工程を実施した後に、ＲＣ耐力壁１８をコンクリートで構築する耐力壁構築工程を実施する。【選択図】図５
2009167688.tif 000002
【特許請求の範囲】
【請求項１】
後に耐力壁が構築される耐力壁構築部の頂部に梁を架け渡し、当該梁に支持されるようにプレキャスト床版を敷設する床版敷設工程を実施した後に、前記耐力壁をコンクリートで構築する耐力壁構築工程を実施することを特徴とする建築構造物の構築方法。
【請求項２】
前記梁をプレキャストコンクリート梁とすることを特徴とする請求項１に記載の建築構造物の構築方法。
【請求項３】
前記耐力壁構築工程においてコンクリートを打設する際に当該コンクリートを流し込む孔、及び前記耐力壁の鉄筋を配筋する孔の少なくとも一方を、前記梁に形成することを特徴とする請求項１又は請求項２に記載の建築構造物の構築方法。
【発明の詳細な説明】
【技術分野】
【０００１】
本発明は、プレキャスト床版を敷設する床版敷設工程と、耐力壁をコンクリートで構築する耐力壁構築工程とを実施する建築構造物の構築方法に関する。
【背景技術】
【０００２】
近年、ビル等の建築構造物の構築においては、柱、梁、床版等の部品の多くをプレキャスト化することにより、工期を短縮させている。
しかし、当該建築構造物に現場打ちＲＣ耐力壁（以下、ＲＣ耐力壁という）が備えられ、且つ、そのＲＣ耐力壁がハーフプレキャスト床版を支持するような場合には、ＲＣ耐力壁の構築工程を完了させてからでなければ、ハーフプレキャスト床版の敷設工程を行うことができず、即ち、上階の構築作業に着手できない（例えば、特許文献１、２参照）。
【０００３】
なお、支保工でハーフプレキャスト床版を支持した状態でＲＣ耐力壁のコンクリート打設を行うことも考えられるが、支保工が障害となることから施工性に問題がある。また、ＲＣ耐力壁の周囲に設けられる通常の梁を、ＲＣ耐力壁の頂部にハーフプレキャスト床版の支持用として設けることも考えられる。しかし、ＲＣ耐力壁が構築された後には、常時の床荷重は耐力壁に直設支持され、また地震荷重に対しては当該梁を一部として含む耐力壁全体で抵抗する。ゆえに、ハーフプレキャスト床版の支持用の梁は、独立した梁としての役割を果たし得ないため、当該梁を設けることはコスト上好ましくない。
【特許文献１】特開平１０−１３１３５３号公報
【特許文献２】特開平６−１２９０４２号公報
【発明の開示】
【発明が解決しようとする課題】
【０００４】
本発明は上記事実を考慮してなされたものであり、耐力壁のコンクリート打設工程にとらわれることなく、上階の構築作業を進めることができ、工期短縮を図ることができる建築構造物の構築方法を提供することを目的とする。
【課題を解決するための手段】
【０００５】
請求項１に記載の建築構造物の構築方法は、後に耐力壁が構築される耐力壁構築部の頂部に梁を架け渡し、当該梁に支持されるようにプレキャスト床版を敷設する床版敷設工程を実施した後に、前記耐力壁をコンクリートで構築する耐力壁構築工程を実施することを特徴とする。
【０００６】
請求項１に記載の建築構造物の構築方法では、まず、床版敷設工程において、後に耐力壁が構築される耐力壁構築部の頂部に梁を架け渡し、当該梁に支持されるようにプレキャスト床版を敷設する。そして、当該工程を実施した後に、耐力壁構築工程を実施し、耐力壁をコンクリートで構築する。これにより、耐力壁のコンクリート打設に先行して、その上に配置されるプレキャスト床版の敷設を行うことが可能となる。
【０００７】
ここで、当該梁は、耐力壁に埋め込めばよいため、支保工のようにコンクリートの打設作業の障害となることはない。また、当該梁は、耐力壁構築工程が完了するまでの間、プレキャスト床版を支持できるだけの支持力を備えていれば十分であり、耐力壁の周囲に設けられる通常の梁のような曲げやせん断等に対する強度は不要であるため、低コストなものを採用できる。
即ち、耐力壁が構築された後は、常時の床荷重は耐力壁に直接支持され、地震荷重に対しては当該梁を一部として含む耐力壁全体で抵抗するため、当該梁には、独立したラーメン架構内の梁としての役割が不要である。また、当該梁は、プレキャスト床版の施工時荷重を支持することができればよいため、当該梁の支持方法として、例えば、柱に設置した顎に当該梁を乗せ掛けるだけのような仮設的及び簡易な方法を採用することが可能である。
よって、耐力壁のコンクリート打設工程にとらわれることなく、上階の構築作業を進めることができ、工期短縮を図ることができる。
【０００８】
請求項２に記載の建築構造物の構築方法は、請求項１に記載の建築構造物の構築方法であって、前記梁をプレキャストコンクリート梁とすることを特徴とする。
【０００９】
請求項２に記載の建築構造物の構築方法では、床版敷設工程において、上記耐力壁構築部の頂部にプレキャストコンクリート梁を架け渡すことにより、耐力壁のコンクリートとその中に埋め込まれる当該梁との一体化を容易にしている。これにより、プレキャストコンクリート梁と現場内の耐力壁とが、地震時の水平荷重に対して、共同して一体的に抵抗することが可能である。
【００１０】
請求項３に記載の建築構造物の構築方法は、請求項１又は請求項２に記載の建築構造物の構築方法であって、前記耐力壁構築工程においてコンクリートを打設する際に当該コンクリートを流し込む孔、及び前記耐力壁の鉄筋を配筋する孔の少なくとも一方を、前記梁に形成することを特徴とする。
【００１１】
請求項３に記載の建築構造物の構築方法では、耐力壁構築工程においてコンクリートを打設する際に、コンクリートを梁に形成された孔に流し込んで耐力壁の構築位置へ供給することが可能であることから、コンクリートの充填性が向上し、高い施工性をもって耐力壁の構築を行うことが可能である。
【００１２】
また、本構築方法では、当該孔を通じて上下耐力壁の鉄筋を連結して重ね継手接合を行うことが可能であり、当該梁が壁筋の継手を行う際の障害にならない。
【発明の効果】
【００１３】
本発明は上記構成にしたので、耐力壁のコンクリート打設工程にとらわれることなく、上階の構築作業を進めることができ、工期短縮を図ることができる建築構造物の構築方法を提供できる。
【発明を実施するための最良の形態】
【００１４】
以下に図面を参照しながら本発明の第１実施形態について説明する。
図１〜図５には、本発明の第１実施形態に係る建築構造物の構築方法により構築される建築構造物１０が示されている。これらの図に示されるように、当該建築構造物１０の各階は、縦横に配置される複数のプレキャストコンクリート製のプレキャスト（以下、ＰＣａという）柱部材１２の上部を、複数のＰＣａ梁部材１４で結合し、多数の短冊状のハーフＰＣａ床版１６をＰＣａ梁部材１４上に敷設し、そして、各階中央部に設けられたＰＣａ柱部材１２間に耐力壁としての現場打ちＲＣ耐力壁（以下、ＲＣ耐力壁という）１８を構築することにより構築される。
【００１５】
建築構造物１０の各階は、平面視にて矩形状に構成されており、ＰＣａ柱部材１２は、各行（図中矢印Ｘ方向）各列（図中矢印Ｙ方向）に複数ずつ配置されている。また、ＰＣａ梁部材１４は、各階外周部の各辺に複数ずつ配置され、各階内周側においては各列に複数ずつ配置されている。ここで、各階中央部においては、ＰＣａ梁部材１４が配置されず、その場所には行方向（図中矢印Ｘ方向）に対向した一対のＲＣ耐力壁１８が構築される。
【００１６】
また、ＲＣ耐力壁１８の列方向（図中矢印Ｙ方向）の両側に設けられたＰＣａ柱部材１２の上部には、ＲＣ耐力壁１８側へ突出した立方体状の顎部（梁支持部）２０が一体で形成されており、ＲＣ耐力壁１８の頂部（後にＲＣ耐力壁１８が構築される耐力壁構築部の頂部）に相当する位置において、プレキャストコンクリート製の仮設の梁２２を一対の顎部２０の上に設置することが可能となっている。
また、ハーフＰＣａ床版１６は、行方向を長手方向とし、両端部が一対のＰＣａ梁部材１４により支持されるように設けられている。なお、各階中央部においては、ハーフＰＣａ床版１６の両端部が一対のＲＣ耐力壁１８により支持される。
【００１７】
ここで、建築構造物１０の構築方法について説明する。
本構築方法では、まず、各階を構成するＰＣａ柱部材１２及びＰＣａ梁部材１４を組み合わせる。次に、床版敷設工程を実施する。当該工程では、まず、図２に示すように、一対の梁２２を各階中央部の所定位置に設置する。ここでは、各梁２２を、列方向に対向する一対の顎部２０の上に設置する。そして、図３に示すように、ハーフＰＣａ床版１６を、行方向に並んだ一対のＰＣａ梁部材１４や一対の梁２２の上に載置する。
なお、複数の貫通孔２４を、梁２２にその長手方向に沿って１列又は複数列形成しておき、当該貫通孔２４が、上下方向に延びるように、梁２２を設置する。
【００１８】
その後、上階を構成するＰＣａ柱部材１２及びＰＣａ梁部材１４の組み合わせを実施し、上階において床版敷設工程を実施する。
そして、上階の構築の進行に並行して、耐力壁構築工程を実施する。当該工程では、図４に示すように、まず、梁２２及び梁２２を支える一対のＰＣａ柱部材１２により三方を囲まれる領域に、鉄筋２６、２７を縦横に配筋する。この際、上下方向に延びる鉄筋（以下、縦鉄筋という）２６の上端部を貫通孔２４内に配筋する。
【００１９】
そして、図５に示すように、縦鉄筋２６の行方向両側に型枠（図示省略）を設置して、型枠内へコンクリートを流し込む。この際、縦鉄筋２６の上方に配置された貫通孔２４へコンクリートを流し込むことにより、型枠内にコンクリートを充填し、梁２２をＲＣ耐力壁１８内に埋没させる。
【００２０】
以上、説明したように、本実施形態によれば、ＲＣ耐力壁１８の構築を行っていない状態で、ＲＣ耐力壁１８上に配置されるハーフＰＣａ床版１６を設置することが可能である。即ち、ＲＣ耐力壁の構築工程にとらわれずに、上階のハーフＰＣａ床版１６等のＰＣa部材設置が可能であり、現場打ちコンクリート打設作業と、ＰＣａ部材の組み立て作業を同時並行して行うことで、工期短縮を図ることができる。
ここで、ハーフＰＣａ床版１６を支持する仮設の梁２２はＲＣ耐力壁１８に埋め込めばよいので、支保工のようにコンクリートの打設作業の障害となることはない。また、梁２２は、耐力壁構築工程が完了するまでの間、ハーフＰＣａ床版１６を支持できるだけの支持力を備えていれば十分であり、ＲＣ耐力壁１８の周囲に設けられるＰＣａ梁部材１４のような曲げやせん断等に対する強度は不要であるため、低コストなものを採用できる。
即ち、ＲＣ耐力壁１８が構築された後は、常時の床荷重はＲＣ耐力壁１８に直接支持され、地震荷重に対しては当該梁２２を一部として含むＲＣ耐力壁１８全体で抵抗するため、当該梁２２には、独立したラーメン架構内の梁としての役割が不要である。また、当該梁２２は、ハーフＰＣａ床版１６の施工時荷重を支持することができればよいため、当該梁２２の支持方法として、ＰＣａ柱部材１２に設置した顎部２０に当該梁２２を乗せ掛けるだけのような仮設的及び簡易な本実施形態の方法を採用することが可能である。
よって、ＲＣ耐力壁１８のコンクリート打設工程にとらわれることなく、上階の構築作業を進めることができ、工期短縮を図ることができる。
【００２１】
また、本実施形態では、床版敷設工程において、ＲＣ耐力壁１８の頂部にプレキャストコンクリート製の梁２２を架け渡すことにより、ＲＣ耐力壁１８を構成するコンクリートとその中に埋め込まれる梁２２との一体化を容易にしている。これにより、プレキャストコンクリート製の梁２２と現場内のＲＣ耐力壁１８とが、地震時の水平荷重に対して、共同して一体的に抵抗することが可能である。
【００２２】
また、本実施形態では、耐力壁構築工程においてＲＣ耐力壁１８を構成するコンクリートを打設する際に、コンクリートを梁２２に形成された貫通孔２４に流し込んでコンクリート打設用の型枠の中へ充填することにより、高い施工性をもってＲＣ耐力壁１８の構築を行うことを可能としている。
さらに、本実施形態では、耐力壁構築工程においてＲＣ耐力壁１８の縦鉄筋２６を梁２２に形成された貫通孔２４に配筋することにより、当該縦鉄筋２６を梁の上側まで延ばすことが可能であり、当該貫通孔２４を通じて上下のＲＣ耐力壁１８の鉄筋を連結して重ね継手接合を行うことが可能であり、当該梁２２が壁筋の継手を行う際の障害にならない。
なお、本実施形態では、下階のＲＣ耐力壁１８の縦鉄筋２６を梁２２の上方まで延ばし、梁２２に形成された貫通孔２４を通じて上階のＲＣ耐力壁１８の縦鉄筋２６と重ね継ぎ手を形成したが、当該継ぎ手を、上階のＲＣ耐力壁１８の縦鉄筋２６を梁２２の下方まで延ばすことによって形成してもよい。また、上下階のＲＣ耐力壁１８の縦鉄筋２６は、梁を貫通しない長さにしておき、上下の縦鉄筋２６と重ね継ぎ手を形成する挿入筋を別途施工してもよい。
【００２３】
次に、本発明の第２実施形態について説明する。なお、第１実施形態と同様の構成には同一の符号を付し、説明は省略する。
図６に示すように、一対の顎部２０上に設置される梁２２には、複数の鉄筋２８が梁２２の長手方向に沿って設けられている。鉄筋２８は、上下方向に延びており、梁２２の上下両面から上方及び下方の少なくとも一方へ突出している。
【００２４】
ここで、鉄筋２８の下部は、下側のＲＣ耐力壁１８の縦鉄筋２６の上端部と近接され、鉄筋２８の上部は、上側のＲＣ耐力壁１８の縦鉄筋２６と近接される。詳細には、鉄筋２８の下部は、下側のＲＣ耐力壁１８の縦鉄筋２６の上部と列方向に見て重なり合い（オーバーラップし）、鉄筋２８の上部は、上側のＲＣ耐力壁１８の縦鉄筋２６の下部と列方向に見て重なり合う（オーバーラップする）、すなわち重ね継手を形成する。これによって、梁２２とその上下のＲＣ耐力壁１８との結合強度、ひいては、上下のＲＣ耐力壁１８の縦鉄筋２６に生じる引張力の伝達を確実なものにできる。
【００２５】
次に、本発明の第３実施形態について説明する。なお、第１、第２実施形態と同様の構成には同一の符号を付し、説明は省略する。
図７に示すように、一対の顎部２０上に設置される梁２２には、複数の鉄筋３０が梁２２の長手方向に沿って設けられている。鉄筋３０は、上下方向に延びており、梁２２の上下両面から上方及び下方の少なくとも一方へ突出している。
【００２６】
鉄筋３０の下部は、下側のＲＣ耐力壁１８の縦鉄筋２６と近接され、鉄筋３０の上部は、上側のＲＣ耐力壁１８の縦鉄筋２６と近接されている。詳細には、鉄筋３０の下部は、下側のＲＣ耐力壁１８の縦鉄筋２６の上部と列方向に見て重なり合い、鉄筋２８の上部は、上側のＲＣ耐力壁１８の縦鉄筋２６の下部と列方向に見て重なり合う。
【００２７】
ここで、鉄筋３０の太さは、縦鉄筋２６の数倍程度（例えば、３倍程度）とされており、鉄筋３０の下部は、下側のＲＣ耐力壁１８の少なくとも２本の縦鉄筋２６と近接され、鉄筋３０の上部は、上側のＲＣ耐力壁１８の少なくとも２本の縦鉄筋２６と近接されている。即ち、細径の縦鉄筋２６、２８と細径のＲＣ耐力壁１８の鉄筋とを一本一本重ね継手するのではなく、複数本の細径の縦鉄筋２６、２８と、それと同等以上の断面積を持つ太径の鉄筋３０とを重ね継手している。これによって、配筋手間を減ずることができ、施工性の向上が可能である。
【００２８】
次に、本発明の第４実施形態について説明する。なお、第１〜第３実施形態と同様の構成には同一の符号を付し、説明は省略する。
図８に示すように、顎部２０（図７参照）上に設置される梁３２の幅方向両側の側面には、複数のコッター（切欠部、凹部）３４が、長手方向に沿って所定間隔おきに形成されている。即ち、梁３２の側面は、長手方向へかけて凸部と凹部とが連続する凸凹状に形成されている。これにより、梁３２とＲＣ耐力壁１８のコンクリートとの付着強度が高められるので、梁３２とＲＣ耐力壁１８との結合強度を向上できる。
【００２９】
なお、本実施形態では、梁３２の側面の長手方向へかけてのみ凸部と凹部とが連続する凸凹状に形成したが、当該側面の幅方向（すなわち上下方向）へかけても凸部と凹部とが連続するように構成してもよい。
【００３０】
次に、本発明の第５実施形態について説明する。なお、第１〜第４実施形態と同様の構成には同一の符号を付し、説明は省略する。
図９に示すように、本実施形態では、ＲＣ耐力壁１８の側方両側に配置されたＰＣａ柱部材１２の上部に、仮設の梁２２の長手方向両端部を嵌め込むためのコッター（切欠き部、凹部）３６が形成されている。即ち、梁２２は、長手方向両端部がコッター３６に嵌め込まれた状態で、ＰＣａ柱部材１２に支持される。これにより、顎部２０を特別に設けるのではなく、ＰＣａ柱部材１２の製作時に嵌め合い用のコッター３６を形成するだけでよいため、ＰＣa柱部材１２の製作が容易になり、品質向上・製作コスト低減が図られる。
【００３１】
以上、本発明を特定の実施形態について詳細に説明したが、本発明は上記実施形態に限定されるものではなく、本発明の範囲内にて他の種々の実施形態が可能であることは当業者にとって明らかである。例えば、本実施形態では、仮設の梁２２、梁３２をプレキャストコンクリート製としたが、梁２２、３２の材料の選択は適宜行えばよく、金属製や樹脂製等であってもよい。
【００３２】
また、本実施形態では、特許請求の範囲でいうところの「プレキャスト床版」をハーフＰＣａ床版としたが、フルプレキャスト床版とすることも可能である。さらに、ＲＣ耐力壁１８の構築位置は、本実施形態に限られるものではなく、建築構造物の構成に応じた必要箇所に設定すればよい。そして、そのＲＣ耐力壁１８の構築、その上へのプレキャスト床版の敷設を、本発明を用いて行えばよい。
【図面の簡単な説明】
【００３３】
【図１】本発明の第１実施形態に係る建築構造物の構築方法により構築される建築構造物を示す斜視図である。
【図２】本発明の第１実施形態に係る建築構造物の構築方法により構築される建築構造物の一部を拡大して示す斜視図である。
【図３】本発明の第１実施形態に係る建築構造物の構築方法により構築される建築構造物の一部を拡大して示す斜視図である。
【図４】本発明の第１実施形態に係る建築構造物の構築方法により構築される建築構造物の一部を拡大して示す側面図である。
【図５】本発明の第１実施形態に係る建築構造物の構築方法により構築される建築構造物の一部を拡大して示す側面図である。
【図６】本発明の第２実施形態に係る建築構造物の構築方法により構築される建築構造物の一部を拡大して示す側面図である。
【図７】本発明の第３実施形態に係る建築構造物の構築方法により構築される建築構造物の一部を拡大して示す側面図である。
【図８】本発明の第４実施形態に係る建築構造物の構築方法により構築される建築構造物の一部を拡大して示す平面図である。
【図９】本発明の第５実施形態に係る建築構造物の構築方法により構築される建築構造物の一部を拡大して示す側面図である。
【符号の説明】
【００３４】
１０    建築構造物
１２    プレキャスト柱部材
１４    プレキャスト梁部材
１６    ハーフプレキャスト床版（プレキャスト床版）
１８    ＲＣ耐力壁（耐力壁）
２２    梁
２４    貫通孔（孔）
２６    鉄筋
３２    梁
【図１】
2009167688.tif 000003
【図２】
2009167688.tif 000004
【図３】
2009167688.tif 000005
【図４】
2009167688.tif 000006
【図５】
2009167688.tif 000007
【図６】
2009167688.tif 000008
【図７】
2009167688.tif 000009
【図８】
2009167688.tif 000010
【図９】
2009167688.tif 000011